(57)【要約】【課題】  エアバックを具えたマッサージ機で、エアポンプの振動から回路基板を保護して、電気的接続不良が発生しないようにする。【解決手段】  エアポンプ２０を設置した取付板５０に、エアポンプを囲む第１カバー５１を取り付け、第１カバー５１上にエアポンプ等を制御する回路基板２３を設置すると共に、回路基板２３を第１カバー５１上に取り付けた第２カバー３１で囲む。【効果】  エアポンプの振動は、第１カバーによって吸収された上で回路基板に伝わるので、振動の影響を弱めることができ、電気的接触不良を起こすことのないように回路基板を保護することができる。【選択図】    図４
2005211201.tif 000002
【特許請求の範囲】
【請求項１】
エアポンプからの空気の供給による膨張と空気の排気による収縮を繰り返すことにより被施療部にマッサージを与えるエアバックを具えたマッサージ機において、エアポンプを設置した取付板に、エアポンプを囲む第１カバーを取り付け、該第１カバー上にエアポンプ等を制御する回路基板を設置すると共に、該回路基板を囲む第２カバーを設けてなるマッサージ機。
【請求項２】
前記第２カバーは、前記第１カバー上に取り付けてなる請求項１に記載のマッサージ機。
【請求項３】
前記マッサージ機は、座部と、座部の後方に起倒自在に連結された背凭れ部と、座部の前方に上下に回動自在に連結されたフットレストを具え、背凭れ部及び／又はフットレストに前記エアバックを配備してなる請求項１又は請求項２に記載のマッサージ機。
【請求項４】
前記第１カバー及び第２カバーは前記座部の下方空間前方の左右いずれか寄りに配置してなる請求項３に記載のマッサージ機。
【請求項５】
前記背凭れ部を起倒する起倒装置及び／又はフットレストを回動する回動装置を、前記座部下方空間の前記第１カバー及び第２カバーのない箇所に配備してなる請求項４に記載のマッサージ機。
【発明の詳細な説明】
【技術分野】
【０００１】
本発明は、  エアポンプからの空気の供給による膨張と空気の排気による収縮を繰り返すことにより被施療部にマッサージを与えるエアバックを具えたマッサージ機に関するものである。
【背景技術】
【０００２】
エアバックを具えたマッサージ機として、例えば、座部の後方に背凭れ部を起倒自在に連結し、座部の前方にフットレストを回動自在に連結し、これら背凭れ部やフットレスト内にエアバックを配備した椅子式マッサージ機が広く知られている。このようなマッサージ機では、エアバックに空気を供給するエアポンプは、座部の下方空間に配置されている。 (例えば、特許文献１参照)。
【特許文献１】特開平９−５６７６６号公報
【発明の開示】
【発明が解決しようとする課題】
【０００３】
特許文献１のマッサージ機では、エアポンプは、座部下方の取付基板上に設置されている。またこの文献には明示されていないが、エアポンプ等を制御する回路基板もエアポンプを設置した取付板上に取り付けられているのが一般的であった。
【０００４】
エアポンプは運転時に振動が起こり、この振動が取付板を介して直接回路基板に伝わる。この結果、回路基板上に電気的に接続された電子部品の回路基板との電気的接続が破壊される等の問題があった。
【０００５】
本発明の目的は、エアバックを具えたマッサージ機で、エアポンプの振動から回路基板を保護して、電気的接続不良が発生しないようにするマッサージ機を提供することである。
【課題を解決するための手段】
【０００６】
上記課題を解決するために本発明は、エアポンプからの空気の供給による膨張と空気の排気による収縮を繰り返すことにより被施療部にマッサージを与えるエアバックを具えたマッサージ機において、エアポンプを設置した取付板に、エアポンプを囲む第１カバーを取り付け、この第１カバー上にエアポンプ等を制御する回路基板を設置すると共に、この回路基板を囲む第２カバーを設けたものである。
【０００７】
具体的には、第２カバーは第１カバー上に取り付けている。
【０００８】
またマッサージ機としては、座部と、座部の後方に起倒自在に連結された背凭れ部と、座部の前方に上下に回動自在に連結されたフットレストを具え、背凭れ部及び／又はフットレストにエアバックを配備した椅子式マッサージ機では、前記第１カバー及び第２カバーを座部の下方空間前方の左右いずれか寄りに配置したものである。
【０００９】
さらに背凭れ部を起倒する起倒装置及び／又はフットレストを回動する回動装置を、座部下方空間の前記第１カバー及び第２カバーのない箇所に配備したものである。
【発明の効果】
【００１０】
本発明によれば、回路基板は、エアポンプを設置した取付板上ではなく、エアポンプを囲む第１カバー上に設置されているので、エアポンプの振動は、第１カバーによって吸収された上で回路基板に伝わり、取付板上に直接回路基板を設置した場合に比べて振動の影響を弱めることができ、電気的接触不良を起こすことのないように回路基板を保護することができる。
【００１１】
また第２カバーを第１カバー上に取り付けることにより、２階建て構造になり、設置面積を小さくすることができる。
【００１２】
また椅子式マッサージ機では、座部は座り心地の関係で後方より前方が高さが高くなっているが、この座部の下方空間前方の左右いずれか寄りに第１カバーと第２カバーを配置することにより、これらを余裕をもったスペースに配置することができる。
【００１３】
そして、背凭れ部を起倒する起倒装置及び／又はフットレストを回動する回動装置を、座部下方空間の前記第１カバー及び第２カバーのない箇所に余裕をもって配備することができる。
【発明を実施するための最良の形態】
【００１４】
以下、本発明を、背凭れ部やフットレストを具えた椅子式のマッサージ機を例として説明する。ここで便宜上、椅子に座った被施療者の右手側を右方、左手側を左方、胸側を前方、背中側を後方とする。図１は椅子式マッサージ機１の右前方から見た斜視図、図２は同マッサージ機の左後方から見た斜視図で、後述する左側の側板８を外した状態である。
【００１５】
椅子式マッサージ機１は、被施療者が腰掛ける座部２の後方に背凭れ部３、前方に被施療者のふくらはぎを載置するふくらはぎ載置部４とふくらはぎ載置部４の下端に連結される被施療者の足先を置く足先載置部５からなるフットレスト６、左右のアームレスト７、アームレスト７が取付けられる左右の側板８、これら座部２、背凭れ部３、フットレスト６、側板８等を支持する角材やパイプ材からなるフレーム構造９を具えて構成される。
【００１６】
背凭れ部３は、座部２に対して起倒可能且つ任意の位置で位置決め可能に連結される。ふくらはぎ載置部４は、座部２の前方に上下に回動自在に且つ任意の位置で位置決め可能に連結される。また、足先載置部５は、ふくらはぎ載置部４に回動自在に連結される。
【００１７】
背凭れ部３内には、被施療者の肩、背中、腰等を揉んだり叩いたりする公知のマッサージ装置（図示せず）が、背凭れ部３に沿って昇降可能に配備される。また背凭れ部３の上部には前記枕９１が取り付けられている。座部２の下方空間の前方は化粧カバー９０で覆われている。化粧カバー９０は、補強のため水平方向に複数の突部が形成されている。背凭れ部３内のマッサージ装置としては、エアポンプからの空気の供給による膨張と空気の排気による収縮を繰り返すことにより被施療部にマッサージを与えるエアバックを用いたものでもよい。
【００１８】
ふくらはぎ載置部４は、図１に示すように、被施療者の左右のふくらはぎを夫々挿入する一対の樋状凹部１０、１０を有している。各樋状凹部１０の内側面には、ふくらはぎを側面から押圧する側面エアバック（ふくらはぎ載置部４全体を覆う布カバーにより隠れて見えない）が配備され、この側面エアバックは、エアポンプ２０（図４参照）からの空気の供給を受けることにより膨張して、ふくらはぎを側方から押圧し、供給された空気を排気することにより収縮して押圧を解除し、この膨張収縮を繰り返すことによりふくらはぎをマッサージする。
【００１９】
足先載置部５も、図１に示すように、被施療者の左右の足先（踝よりも先の部分）を夫々挿入する一対の樋状凹部１１、１１を有している。各樋状凹部１１の内側面には、足先を側面から押圧する側面エアバック（足先載置部５全体を覆う布カバーにより隠れて見えない）が配備され、この側面エアバックも、エアポンプ２０からの空気の供給を受けることにより膨張して、足先を側方から押圧し、供給された空気を排気することにより収縮して押圧を解除し、この膨張収縮を繰り返すことにより足先をマッサージする。
【００２０】
図２において、２１は、座部２の裏面のフレーム９と背凭れ部３の下端間に設けられた背凭れ部３を起倒させる周知のガススプリングよりなる起倒装置で、伸びると背凭れ部３を起こし、縮むと背凭れ部３を倒す。２２は、フットレスト６と下側のフレーム９との間に設けられた周知のガススプリングよりなる回動装置で、伸びるとフットレスト６を上方へ回動して持ち上げ、縮むと下方へ回動して図１の状態に戻すものである。フットレスト６が回動しても足先載置部５は略水平状態を保ったまま持ち上げられる。
【００２１】
座部２は、その高さが図の如く後方より前方が高くなっており、この座部２の下方前方空間の右寄りには、背凭れ部３やフットレスト６内のマッサージ装置やエアバックを電気的に制御する回路基板２３や電子部品２４、さらには前記エアポンプ２０や電磁弁２５等を内蔵した制御ボックス２６が配置されている。制御ボックス２６は、図３や図４に示す如く、上下２段構造になっている。
【００２２】
下側のボックス２７は、下側のフレーム９上に取り付けられた取付板５０と、取付板５０上に取り付けられ、エアポンプ２０を囲む鋼板製の第１カバー５１より構成される。下側ボックス２７の内部に、前記エアポンプ２０や、エアポンプ２０から前記側面エアバックへの空気供給路に介在されて側面エアバックへの空気の供給及び側面エアバックからの空気の排気を制御する複数の電磁弁２５や、トランス２８等が配置されている。エアポンプ２０は、取付板５０上に取り付けられている。
【００２３】
上側のボックス２９は、第１カバー５１の天面３０と、天面３０上に取り付けられる樹脂製の第２カバー３１より構成され、内部に、電子部品２４を搭載した回路基板２３が天面３０から浮かせた状態で天面３０に取り付けられている。
【００２４】
このように制御ボックス２６を上下２段構造にすることにより、設置スペースを最小限に抑えることができ（本実施例では座部２の下方空間の前方右側に寄せることができ）残りのスペースに、背凭れ部３やフットレスト６を回動させるガススプリング２１、２２を無理なく配置できる。また制御ボックス２６の高さは高くなるが、座部２の下方空間のうち高さの高くなった前方に配置しているので、無理なく配置することができる。
【００２５】
またエアポンプ２０は、鋼板製の第１カバー５１で覆われているので、騒音が吸収されて防音効果を向上させることができ、またエアポンプ２０による振動が回路基板２３へ伝わろうとするが、第１カバー５１により吸収され、回路基板２３へ伝わる振動を弱めることができる。その結果、振動による回路基板２３の電気的接続不良が発生することがないようにして、回路基板を保護することができる。
【００２６】
前記上側の制御ボックス２９からは、回路基板２３上の複数のコネクタと接続された配線コード群３３が外部へ引き出され、マッサージ装置のモータ等からなるマッサージ駆動部に接続される。第２カバー３１には、配線コード群３３を引き出すための引出口３４が形成される。この引出口３４は、第２カバー３１の下端より（前記天面３０側より）切り欠いて形成される。
【００２７】
天面３０上の引出口３４内に位置する箇所には、図５に示すような樹脂製のホルダー３５が取り付けられている。ホルダー３５は、その下端２箇所より突接した突起３６を天面３０に設けた穴に嵌め込んで位置決したのち、ネジ３７で天面３０に取り付けられる。ホルダー３５の回路基板２３側には、回路基板２３より高い位置までコード載置壁３８が突設されている。（図４の円内拡大図参照）またホルダー３５の下面には、後述するコードバンド３９のガイド溝４０が形成されている。（図５参照）
配線コードは束にしてホルダー３５にコードバンド３９でもって固定され、一つの配線コード群３３となる。コードバンド３９はホルダー３５下面の溝４０に嵌っているので、ずれることなはない。そして第２カバー３１を天面３０上に取り付ける。この際、ホルダー３５は引出口３４内に位置する。つまり、配線コード群３３は、ホルダー３５と引出口３４より構成される狭い空間を通って引き出される。
【００２８】
このような構成にしたことにより、引出口３４からカバー３１内への手指の侵入がホルダー３５によって阻止でき、回路基板２３や電子部品２４に触わることはできず、安全性を確保することができる。
【００２９】
また引出口３４はカバー３１の天面側より切り欠いて形成されているので、組み立てはカバー３１を上から被せるだけでよく、引出口３４に配線コード群３３を通す必要はなく、簡単に行える。
【００３０】
またホルダー３５に配線コード群３３を締結部材であるコードバンド３９によって固定しているので、配線コード群３３を引っ張ってもホルダー３５で受け止めることができ、配線コードがコネクタから外れることを防止できる。
【００３１】
また、配線コード群３３に下向きの引っ張る力が加わっても、配線コード群３３はコード載置壁３８により受け止められて回路基板２３に接触することがない。配線コード群３３は、多くのコードを束ねているので剛体のようになっており、これが回路基板２３に接触すると、回路基板２３は配線コード群３３によって擦られて回路基板２３のパターンが剥離されるというようこともあるが、載置壁３８によってそのようなこともなく、回路基板２３を保護することができる。
【００３２】
以上の実施例では、第２カバー３１を第１カバー５１の天面３０上に取り付けたが、第２カバー３１は、取付板５０に取り付けてもよい。
【産業上の利用可能性】
【００３３】
本発明の活用例として、椅子式マッサージ機の他に、ベッド式等の全てのエアバックを具えたマッサージ機に用いることができる。
【図面の簡単な説明】
【００３４】
【図１】本発明の実施例として示した椅子式マッサージ機の右前方から見た斜視図である。
【図２】同マッサージ機の左後方から左側の側板を外した状態の斜視図である。
【図３】同マッサージ機の制御ボックスの斜視図である。
【図４】同制御ボックスの縦断面図と、その円内拡大図である。
【図５】同制御ボックスに用いられるホルダーの斜視図である。
【符号の説明】
【００３５】
２０    エアポンプ
５０    取付板
５１    第１カバー
２３    回路基板
３１    第２カバー
２      座部
３      背凭れ部
６      フットレスト
２１    ガススプリング（起倒装置）
２２    ガススプリング（回動装置）
【図１】
2005211201.tif 000003
【図２】
2005211201.tif 000004
【図３】
2005211201.tif 000005
【図４】
2005211201.tif 000006
【図５】
2005211201.tif 000007